(57)【要約】      （修正有）【課題】容器外形を球状とすることで、冷蔵庫での保管に当り、内容物が傷みにくく、少量ずつの使用にも便利な野菜容器を提供する。【解決手段】この野菜容器１００は椀状の本体１と当該本体１の上に被せる蓋３とからなり、蓋３は回転軸６を持って前記本体１に連結され本体１に対して開閉自在な構造となる。当該蓋３は結球レタス等に被せられるような大きさであり若干扁平の球状又はヘルメット形状となる。上記本体１の上に結球レタス等を置き、蓋３を被せることで野菜容器１００内が密閉される。この野菜容器１００によれば、結球レタス等を冷蔵庫で保存する際、結球レタス等の葉が傷むことなく、乾燥を避けて新鮮さを保ちつつ最後まできれいな状態を保って美味しく使い切れる。また、蓋３を開ければ結球レタスをすぐに取り出すことができる。【選択図】図１
0003158130.tif 000002
【実用新案登録請求の範囲】
【請求項１】
椀状の本体と、
当該本体に密閉状態で被せる蓋と、
本体に蓋を被せた状態で全体が略球状となり、前記本体の内側の底面の一部又は全部が平らであることを特徴とする野菜容器。
【請求項２】
長尺の本体と、
当該本体に密閉状態で被せる蓋と、
本体に蓋を被せた状態で全体が両端が閉じた略筒状となり、前記本体の内側の底面の一部又は全部が平らであることを特徴とする野菜容器。
【請求項３】
前記本体の下部に胴部が設けられたことを特徴とする請求項２に記載の野菜容器。
【請求項４】
前記本体の内面に角が生じない凹凸が設けられていることを特徴とする請求項１〜３のいずれか一つに記載の野菜容器。
【請求項５】
前記本体の底に水抜き穴が設けられていることを特徴とする請求項１〜４のいずれか一つに記載の野菜容器。
【請求項６】
前記蓋又は本体にエア調整バルブを設けたことを特徴とする請求項１〜５のいずれか一つに記載の野菜容器。
【考案の詳細な説明】
【技術分野】
【０００１】
本考案は、レタスやキャベツ等の全体が球状の野菜、および、長ネギのような長尺の野菜を保管するための野菜容器に関するものである。
【背景技術】
【０００２】
購入してきたレタスおよび使いかけのレタスを家庭の冷蔵庫で保存するには、購入時の包装材をそのまま利用するか或いは適宜のビニール袋に入れて保存するのが通常である。また、長ネギについても、家庭の冷蔵庫や冷暗所で保管する際、紙で包んだり或いはビニール袋に入れて保存するのが通常である。
【０００３】
しかしながら、前記レタスの保存にあっては、従来の保存方法では葉が傷みやすく、且つ、レタスを少しずつ使用する場合に包装等から取り出すのに手間がかかる問題点がある。また、業務用の鮮度保持包装体は、通常の箱型形状であるため、結球レタスなどの傷み易い葉菜を守るには適していない。
【０００４】
また、長ネギの保存にあっても、従来の保存方法では傷みやすく且つ少しずつの使用には不便であるという問題点がある。更に、長ネギ自体が長細い形状であるため、冷蔵庫内等における保管が難しいという問題点がある。
【先行技術文献】
【特許文献】
【０００５】
【特許文献１】特開２００５−１９３９５１号公報
【考案の概要】
【考案が解決しようとする課題】
【０００６】
この考案は、上記問題点を解決するためになされたものである。
【課題を解決するための手段】
【０００７】
本考案の野菜容器は、椀状の本体と、当該本体に密閉状態で被せる蓋と、本体に蓋を被せた状態で全体が略球状となり、前記本体の内側の底面の一部又は全部が平らであることを特徴とする。
【０００８】
本考案の野菜容器は、長尺の本体と、当該本体に密閉状態で被せる蓋と、本体に蓋を被せた状態で全体が両端が閉じた略筒状となり、前記本体の内側の底面の一部又は全部が平らであることを特徴とする。
【０００９】
本考案の野菜容器は、上記考案において、前記本体の下部に胴部が設けられたことを特徴とする。
【００１０】
本考案の野菜容器は、上記考案において、前記本体の内面に角が生じない凹凸が設けられていることを特徴とする。
【００１１】
本考案の野菜容器は、上記考案において、前記本体の底に水抜き穴が設けられていることを特徴とする。
【００１２】
本考案の野菜容器は、上記考案において、前記蓋又は本体にエア調整バルブを設けたことを特徴とする。
【図面の簡単な説明】
【００１３】
【図１】この考案の実施の形態１にかかる野菜容器を示す斜視図である。
【図２】図１に示した野菜容器の使用方法を示す説明図である。
【図３】図１に示した野菜容器の変形例を示す説明図である。
【図４】図１に示した野菜容器の変形例を示す説明図である。
【図５】この実施の形態１にかかる野菜容器の変形例を示す説明図である。
【図６】図５に示した野菜容器の一部拡大図である。
【図７】この考案の実施の形態２にかかる野菜容器を示す斜視図である。
【図８】図７に示した野菜容器の使用方法を示す説明図である。
【図９】図７に示した野菜容器の変形例を示す説明図である。
【考案を実施するための形態】
【００１４】
（実施の形態１）
図１は、この考案の実施の形態１にかかる野菜容器を示す斜視図である。図２は、図１に示した野菜容器の使用方法を示す説明図である。この野菜容器１００は、比較的浅い底面２を有する椀状の本体１と、当該本体１の上に被せる蓋３とからなる。本体１の内側の底面２は平らであり結球レタスやキャベツの芯の切り口をもって安定的に載せることができる。また、本体１の裏面４には下方に突出したリブからなる台５が形成される。また、前記蓋３は回転軸６を持って前記本体１に連結され本体１に対して開閉自在な構造となる。当該蓋３は結球レタス等に被せられるような大きさであり、若干扁平の球状又はヘルメット形状となる。また、当該蓋３は、結球レタス等を表現した凹凸を有するデザインとしてもよい。
【００１５】
本体１および蓋３の周縁上の前記接合部分の反対側には開閉部７が設けられている。この開閉部７は蓋３に設けたフック８と、本体１の縁裏に設けた溝９とから構成される。本体１の周縁には段部１０が形成され当該段部１０が蓋３の周縁の内側に一定の締まりをもって入り、野菜容器１００全体が密閉される。なお、蓋３の一部には日付を表示するための矩形の日付表示枠１１が形成されている。本体１および蓋３は、透明または半透明プラスチックやシリコン等からなる樹脂製である。色は無色または緑系とする。
【００１６】
また、本体１の内側面には複数の凹凸１２が設けられる。この凹凸１２は、洗いやすさの観点から断面が波形状のような角が生じない形状とするのが好ましい。凹凸１２を設けることで本体１に載せられている結球レタス等の水分が落ちて溜まっても、結球レタスが常に水に浸かることがない。また、角が生じないこと、換言すると角にアールが設けられていることで、レタス等を傷つけることがない。
【００１７】
家庭において結球レタス等を保存する場合、上記本体１の上に結球レタス等を置き、蓋３を被せる。本体１の周縁の段部１０が蓋３の周縁に嵌り込み、続いて蓋３のフック８が溝９に係止され、野菜容器１００内が密閉される。そして、当該野菜容器１００ごと冷蔵庫に収納する。本体１の裏面には台５が形成されているので、冷蔵庫内において安定して収納できる。蓋３の日付表示枠には、野菜を入れた日を記入しておく。
【００１８】
以上の野菜容器１００によれば、結球レタス等を冷蔵庫で保存する際、結球レタス等の葉が傷むことなく、乾燥を避けて新鮮さを保ちつつ最後まできれいな状態を保って美味しく使い切れる。蓋３を開ければ結球レタスをすぐに取り出すことができる。また、冷蔵庫の中で他の品物とぶつかって柔らかい葉が傷む事も避けられる。更に、結球レタス等に似たデザインおよび明るい色の容器で見た目も楽しく使用できる。また、野菜容器１００自体をレタス等の形状とすることで半分に切ったレタスであっても当該野菜がうまく保持収納される。
【００１９】
なお、図３に示すように、本体１の底２に水抜き用のスリットその他の水抜き穴２０を設けても良い。水抜き穴２０を設けることで本体１の底２に水が溜まってレタス等が傷むことを防止できる。この水抜き穴２０は、スリット形状の場合には長さが５ｍｍ以上５０ｍｍ以下、幅が２ｍｍ以上５ｍｍ以下とし、穴の場合には、直径が２ｍｍ以上５mm以下とするのが好ましい。また、上記蓋３に、図４に示すように、内圧が一定に達した場合に蒸気を排出するようなエア調整バルブ２１を設けても良い。例えば、蓋３に当該蓋３の材料よりも柔らかい材料の面を設け、この面に小さい穴を設けた構造としても良い。このようにすれば、内圧が上がっても内部の空気を排出できるので、結球レタス等を野菜容器１００にいれたまま、電子レンジに入れて加熱調理できる。なお、このエア調整バルブ２１は、本体１に設けても良い。
【００２０】
図５は、この実施の形態１にかかる野菜容器の変形例を示す説明図である。上記実施の形態１の野菜容器１００は本体１に対して蓋３を回転軸６により取り付け、開閉自在にした構造であるが、このような回転軸６を中心とした開閉構造ではなく、本体１と蓋３とが完全に分離した構造としてもよい。この場合、本体１に対して蓋３の材料を柔らかいものとし、蓋３の周縁を変形させて本体１の周縁に対して一定の締め付けをもって嵌る構造とする。例えば、図６に示すように、本体１の周縁にその断面が略矢印形状の突起３１を備え、蓋３の周縁であって前記突起３１に対向する位置に当該突起３１が嵌り込む溝３２を形成すると共に、当該溝３２が突起３１を押し込むときに若干変形して当該突起３１が完全に嵌め込まれ、その結果、本体１と蓋３とにより内部が完全に密閉されるようにする。
【００２１】
なお、本体１をＰＥＴ等の比較的硬質な材料とし、蓋３をシリコン等の比較的軟質の材料で構成しても良い。更に、図５に示す蓋３に、内圧が一定に達した場合に蒸気を排出するエア調整バルブ２１を設けても良い。このようにすれば、内圧が上がっても内部の空気を排出できるので、結球レタス等を野菜容器１５０にいれたまま、電子レンジに入れて加熱調理できる。なお、このエア調整バルブ２１は、本体１に設けても良い。上記以外の構造は図１に示した野菜容器１００と同じである。
【００２２】
（実施の形態２）
図７は、この考案の実施の形態２にかかる野菜容器を示す斜視図である。図８は、図７に示した野菜容器の使用方法を示す説明図である。この野菜容器２００は長ネギを収納する両端が閉じた略筒形であり、本体２０１と蓋２０３とに分割され、当該本体２０１と蓋２０３とが３点の回転軸２０６をもって連結した構造である。また、本体２０１の下部には、有底筒状となり且つその深さが浅い胴部２０２が長手方向に形成される。具体的には、胴部２０２は１０ｍｍ以上３０ｍｍ以下の長さが好ましい。蓋２０３は、この胴部２０２を避けた形で本体２０１に設けられる。
【００２３】
野菜容器２００の長さは標準的な長ネギを半分に切った程度のものである。また、野菜容器２００の断面は楕円または扁平であり、当該野菜容器２００は長ネギを２本並べて収納でき且つ余分な隙間ができない程度の幅を持つ。具体的には当該野菜本体２００の幅は、２５ｍｍ以上５０ｍｍ以下の長さが好ましい。長さは２５０ｍｍ以上６００ｍｍ以下の長さが好ましい。本体２０１および蓋２０３の周縁上の前記回転軸２０６の反対側には開閉部２０７が設けられている。この開閉部２０７は蓋に設けたフック２０８と、本体２０１の縁裏に設けた突起２０９とから構成される。野菜容器２００は透明または半透明プラスチックやシリコン等からなる樹脂製である。色は無色または緑系とする。蓋２０３には、日付表示枠２１１が設けられている。
【００２４】
野菜容器２００の胴部２０２の底裏側には、環状に突出したリブからなる台２０５が設けられているので、野菜容器２００を冷蔵庫内に立てて収納できる。野菜容器２００のデザインは、単純なさや形状でもよいし或いは長ネギ等を表現した凹凸を有するものでもよい。
【００２５】
家庭において長ネギ等を保存する場合、蓋２０３を開いて長ネギ等の端部を前記胴部２０２に差し込みつつ本体２０１の上に長ネギ等を置き、蓋２０３を被せる。蓋２０３のフック２０８が突起２０９に係止され、野菜容器２００内が密閉される。そして、当該野菜容器２００ごと冷蔵庫に収納する。蓋２０３の日付表示枠２１１には、野菜を入れた日を記入しておく。
【００２６】
以上の野菜容器２００によれば、家庭において長ネギを冷蔵庫内で保存する際に、乾燥を避け最後まで清潔に美味しく使い切ることができる。冷蔵庫の中で他の品物とぶつかって傷んだり、他の食品に匂いが移る事も避けられる。また、長ネギをデザインした容器であるため、見た目も楽しく使用できる。また、本体がシリコン、プラスチック等の樹脂製であるため、軽量かつ安全で、丸洗いできる。
【００２７】
なお、上記胴部２０２を省略して野菜容器を完全に２分割する構成にしても良い（図示省略）。また、図９に示すように、本体２０１の胴部２０２の底２０４に水抜き用のスリットその他の水抜き穴２２０を設けても良い。水抜き穴２２０を設けることで本体２０１の底に水が溜まって長ネギ等が傷むことを防止できる。この水抜き穴２２０は、スリット形状の場合には長さが５ｍｍ以上３０ｍｍ以下、幅が２ｍｍ以上５ｍｍ以下とし、穴の場合には、直径が２ｍｍ以上５mm以下とするのが好ましい。また、上記蓋２０３に、内圧が一定に達した場合に蒸気を排出するようなエア調整バルブ２２１を設けても良い。例えば、蓋に当該蓋の材料よりも柔らかい材料の面を設け、この面に小さい穴を設けた構造としても良い。このようにすれば、内圧が上がっても内部の空気を排出できるので、長ネギ等を野菜容器２００にいれたまま、電子レンジに入れて加熱調理できる。なお、このエア調整バルブ２２１は、本体２０１に設けても良い。
【００２８】
なお、上記野菜容器２００を標準的な長ネギと同じ長さとしても良い。また、野菜容器２００の長さを、根深ネギ、葉ネギ、ミツバ、アサツキ等の各種ネギの標準的な寸法と同じ長さとすることもできる。標準的に販売されている長さに合わせた容器とすることで、これを収納する際に長ネギ等を切る手間を省くことができる。その他の構成は実施の形態１と同じである。
【符号の説明】
【００２９】
１００  野菜容器
１  本体
３  蓋
５  台
７  開閉部
【図１】
0003158130.tif 000003
【図２】
0003158130.tif 000004
【図３】
0003158130.tif 000005
【図４】
0003158130.tif 000006
【図５】
0003158130.tif 000007
【図６】
0003158130.tif 000008
【図７】
0003158130.tif 000009
【図８】
0003158130.tif 000010
【図９】
0003158130.tif 000011